(57)【要約】【課題】軸筒の持ち替えや両手による操作を必要とせず、筆記体の出没操作が容易に行える出没式筆記具を得る。【解決手段】軸筒内に、キャップ体と、キャップ体の後方に配した筆記体と、筆記体と当該キャップ体との間に配した弾発体とを備え、軸筒の側面に設けた窓部に、キャップ体及び筆記体に当接する押動体を装着し、キャップ体が、筒部と、該筒部の前方を開閉可能に設けられた蓋部とを有し、押動体またはキャップ体に、軸筒の内面における窓部側に後端を有し該窓部の反対側に前端を有するよう形成した前方斜面を設け、押動体または筆記体に、軸筒の内面における窓部側に前端を有し該窓部の反対側に後端を有するよう形成した後方斜面を設け、押動体を前記軸筒の軸径方向へ押動することにより、前方斜面でキャップ体を後退させると共に後方斜面で筆記体を前進させ、弾発体を圧縮しながら、筆記体の筆記部で蓋部を開放して該筆記端を軸筒の開口より突出させる。【選択図】図４
2019116063.tif 000002
【特許請求の範囲】
【請求項１】
軸筒内に筆記体を収容し、前記軸筒の開口より前記筆記体の筆記端を出没可能にした出没式筆記具であって、
前記軸筒内に、キャップ体と、該キャップ体の後方に配した前記筆記体と、該筆記体と当該キャップ体との間に配した弾発体とを備え、
前記軸筒の側面に設けた窓部に、前記キャップ体及び前記筆記体に当接する押動体を装着し、
前記キャップ体が、筒部と、該筒部の前方を開閉可能に設けられた蓋部とを有し、
前記押動体または前記キャップ体に、前記軸筒の内面における窓部側に後端を有し該窓部の反対側に前端を有するよう形成した前方斜面を設け、
前記押動体または前記筆記体に、前記軸筒の内面における窓部側に前端を有し該窓部の反対側に後端を有するよう形成した後方斜面を設け、
前記押動体を前記軸筒の軸径方向へ押動することにより、前記前方斜面で前記キャップ体を後退させると共に前記後方斜面で前記筆記体を前進させ、前記弾発体を圧縮しながら、前記筆記体の筆記部で前記蓋部を開放して該筆記端を前記軸筒の開口より突出させる構造を特徴とした出没式筆記具。
【請求項２】
前記キャップ体が、前記前方斜面を側面に有した前記筒部と、前記蓋部と、該筒部と該蓋部とを連結するヒンジ部とを有し、
前記筆記体が前記後方斜面を側面に有し、
前記押動体が、前記前方斜面に当接する前方突部と前記後方斜面に当接する後方突部とを有し、
前記筆記体の没入状態において、前記筆記体の後端が前記軸筒の後端内面に当接することで、前記弾発体の弾発力により、前記キャップ体の蓋部の前面が前記軸筒の内面に当接し、該キャップ体の蓋部の後面が当該キャップ体の筒部の前面に密着する構造を特徴とした請求項１に記載の出没式筆記具。
【請求項３】
前記筆記体の筆記端が、前記後方斜面と平行する平面を有した板状に形成され、該筆記部の平面側に前記押動体が配置されたことを特徴とした請求項１または２に記載の出没式筆記具。
【発明の詳細な説明】
【技術分野】
【０００１】
本発明は、軸筒内に筆記体を収容し、前記軸筒の開口より前記筆記体の筆記部を出没可能にした出没式筆記具に関する。
【背景技術】
【０００２】
従来、軸筒内に収容した筆記体の筆記端を、軸筒に設けた操作体を操作することで、軸筒の開口より出没可能にした出没式筆記具はよく知られている。
例えば特許文献１（特開平１１−７０７７９号公報）には、軸筒後方のノック体のノック操作により、軸筒内に収容した筆記体（ボールペンレフィル）の筆記端を軸筒の開口より出没させる出没式筆記具が記載されている。また特許文献２（特開２００７−２８３５３７号公報）には、前軸と後軸とを相対的に回動操作することにより、軸筒内に収容した筆記体（ボールペンレフィル）の筆記端を軸筒の開口より出没させる出没式筆記具が記載されている。
【０００３】
前記特許文献１や特許文献２に記載された出没式筆記具では、筆記端を突出させる際に一度繰り出しのための操作を行い、筆記端を没入させる際に再度没入のための操作を行う必要がある。
このように筆記体の突出や没入の際に、それぞれの操作が必要な出没式筆記具では、筆記目的で使用されるボールペンのように筆記具を連続して使用し続ける場合には、特に手間と感じることは少ないが、例えば目的部分に線を引く際に短時間だけ使用される蛍光マーカーのような筆記具、あるいはボールペンであっても、胸ポケットから筆記具を取り出して手帳に筆記を行う場合など、ごく短時間の筆記のために筆記具を使用したい場合には、その操作が手間に感じられることがある。
さらに、特許文献１のようなノック式の出没式筆記具では、軸筒の後方にあるノック体を操作して筆記体の出没を行うため、軸筒の前後を反転させるような持ち替えが必要となる。また、特許文献２のような回転式の出没式筆記具では、片手で前軸を把持し、残りの手で後軸を把持して軸線周りに相対回転させることで筆記体の出没操作を行うため、両手による操作が必要となる。このような軸筒の持ち替えや両手を必要とする操作は、前述の通り短時間だけ使用したい場合に特に煩わしさを感じることがある。
【先行技術文献】
【特許文献】
【０００４】
【特許文献１】特開平１１−７０７７９号公報
【特許文献２】特開２００７−２８３５３７号公報
【発明の概要】
【発明が解決しようとする課題】
【０００５】
本発明は、上記問題を鑑みて、軸筒の持ち替えや両手による操作を必要とせず、筆記体の出没操作が容易に行える出没式筆記具を得ることを目的とする。
【課題を解決するための手段】
【０００６】
本発明は、
「１．軸筒内に筆記体を収容し、前記軸筒の開口より前記筆記体の筆記端を出没可能にした出没式筆記具であって、
前記軸筒内に、キャップ体と、該キャップ体の後方に配した前記筆記体と、該筆記体と当該キャップ体との間に配した弾発体とを備え、
前記軸筒の側面に設けた窓部に、前記キャップ体及び前記筆記体に当接する押動体を装着し、
前記キャップ体が、筒部と、該筒部の前方を開閉可能に設けられた蓋部とを有し、
前記押動体または前記キャップ体に、前記軸筒の内面における窓部側に後端を有し該窓部の反対側に前端を有するよう形成した前方斜面を設け、
前記押動体または前記筆記体に、前記軸筒の内面における窓部側に前端を有し該窓部の反対側に後端を有するよう形成した後方斜面を設け、
前記押動体を前記軸筒の軸径方向へ押動することにより、前記前方斜面で前記キャップ体を後退させると共に前記後方斜面で前記筆記体を前進させ、前記弾発体を圧縮しながら、前記筆記体の筆記部で前記蓋部を開放して該筆記端を前記軸筒の開口より突出させる構造を特徴とした出没式筆記具。
２．前記キャップ体が、前記前方斜面を側面に有した前記筒部と、前記蓋部と、該筒部と該蓋部とを連結するヒンジ部とを有し、
前記筆記体が前記後方斜面を側面に有し、
前記押動体が、前記前方斜面に当接する前方突部と前記後方斜面に当接する後方突部とを有し、
前記筆記体の没入状態において、前記筆記体の後端が前記軸筒の後端内面に当接することで、前記弾発体の弾発力により、前記キャップ体の蓋部の前面が前記軸筒の内面に当接し、該キャップ体の蓋部の後面が当該キャップ体の筒部の前面に密着する構造を特徴とした前記１項に記載の出没式筆記具。
３．前記筆記体の筆記端が、前記後方斜面と平行する平面を有した板状に形成され、該筆記部の平面側に前記押動体が配置されたことを特徴とした前記１項または２項に記載の出没式筆記具。」である。
【０００７】
本発明の出没式筆記具は、筆記体を没入させた状態においては、軸筒の内部で筆記体の筆記端を保護しながらキャップと蓋とで気密性を確保することができると共に、軸筒前方の押動体を軸径方向へ押動することで筆記体を突出させ、押動体を押動する力を開放することで筆記端を没入させることができることから、軸筒の持ち替えや両手による操作を必要とせず、筆記体の出没操作を容易に行うことができる。
【０００８】
押動体を軸筒の軸径方向へ押動することにより、押動体またはキャップ体に設けた前方斜面によりキャップを後退させると共に、押動体または筆記体に設けた後方斜面により筆記体を前進させることから、キャップ体及び筆記体は、押動体の押圧力に対して軸径方向への移動を規制し、軸筒の軸心に沿った前後動ができるよう配設する。
キャップ体及び筆記体の軸径方向への移動を規制する場合には、キャップ体及び筆記体の一部を軸筒の内面における窓部と反対の内面に摺動するよう、キャップ体及び筆記体に脚部を設けるとよい。
【０００９】
前方斜面及び後方斜面は、それぞれキャップ体及び筆記体に設けてもよく、両方を押動体に設けてもよく、あるいは、キャップ体に前方斜面を押動体に後方斜面を、その組み合わせの反対で押動体に前方斜面を筆記体に後方斜面を設けてもよく、前方斜面及び後方斜面を設ける部材は限定されない。いずれの場合も前方斜面及び後方斜面に対峙する部材側には、該前方斜面及び後方斜面に当接して摺動する当接部を突設させ、キャップ体及び筆記体の前後動が滑らかになるようにすることが好ましい。
筆記体に設ける後方斜面または当接部は、筆記体の側面に対して直接形成してもよく、あるいは外周を被覆する別部材のスライダーを筆記体に装着して、そのスライダーの側面に形成してもよい。別部材でスライダーを設ける構造とした場合には、例えばボールペンレフィルやマーカーなど内部にインキを収容した筆記体を使用する際、筆記によりインキが消費され筆記体の交換が必要となった時に、スライダーはそのまま使用し、筆記体だけを交換することが可能となる。
【００１０】
筆記体は、ボールペンレフィル、シャープペンシルユニット、マーカー、万年筆など筆記端を前端に備えたものであればよい。
軸筒の外形形状は限定されないが、横断面において四角形状にすることで、軸筒に対する押動体やキャップ体及び筆記体の配設が行い易くなる。
押動体の材質は特に限定されるものではないが、操作性を鑑みて、キャップ本体及び筆記体との滑り性を考慮する場合にはポリアセタール樹脂（ＰＯＭ樹脂）やポリブチレンテレフタラート樹脂（ＰＢＴ樹脂）、フッ素樹脂が好ましく、外観や強度を重視するのであればポリカーボネート樹脂（ＰＣ樹脂）やアクリル樹脂、アクリロニトリル−ブタジエン−スチレン共重合樹脂（ＡＢＳ樹脂）などが適している。
【００１１】
キャップ体に設ける蓋部の構造は限定されるものではなく、筒部の前方において開閉可能な状態に設ければよい。
なお、キャップ体に、筒部と、蓋部と、該筒部と該蓋部とを連結するヒンジ部とを設け、筆記体の没入状態において、弾発体の弾発力で、キャップ体の蓋部の前面を軸筒の内面に当接させると共に、キャップ体の蓋部の後面が該キャップ体の筒部の前面に密着させる構造とすることにより、キャップの気密性を向上させることができる。
【００１２】
蛍光マーカーなど筆記体が板状の筆記端を有したマーカーの場合には、筆記端の両側に形成された平面部が押動体の移動方向に対し直交する方向に平面を有することにより、押動体を親指で押動した際に、その親指と同じ位置に筆記端の平面が位置することから、その結果、自然とマーカーで線を引く際の筆記端の向き（筆跡が巾広くなる向き）で書き始めることが可能となり利便性が向上する。
【発明の効果】
【００１３】
本発明の出没式筆記具によれば、筆記体を没入させた状態においては、軸筒の内部で筆記体の筆記端を保護しながらキャップで気密性を確保することができると共に、軸筒前方の押動体を軸径方向へ押動することで筆記体を突出させ、押動体を押動する力を開放することで筆記体を没入させることができることから、軸筒の持ち替えや両手による操作を必要とせず、筆記体の出没操作が容易に行うことができる出没式筆記具を得ることが可能となる。
【図面の簡単な説明】
【００１４】
【図１】本実施形態の出没式筆記具の平面図である。
【図２】本実施形態の出没式筆記具の側面図である。
【図３】図１のＡ−Ａ線断面図である。
【図４】本実施形態の出没式筆記具の要部拡大一部断面図である。
【図５】本実施形態の出没式筆記具の作動状態を時系列的に示した図である。
【図６】変形例による出没式筆記具を示す要部拡大一部断面図である。
【発明を実施するための形態】
【００１５】
以下に添付図面を参照して本実施形態の出没式筆記具を詳細に説明する。本実施形態の説明では筆記端がある側を前方と表現し、その反対側を後方と表現する。また図における上下方向を軸径方向と表現する。
【００１６】
図１から図５を用いて本実施形態の出没式筆記具について説明を行う。
本実施の形態の出没式筆記具１は、軸筒２と、該軸筒２内に収容される筆記体３と、軸筒２の外面より軸径方向外方へ突出する押動部４ａを備え且つ該軸筒２内に一部が収容される平面視が長方形状の押動体４と、該押動体４を軸径方向へ押動及び押動する力を解放することにより前記筆記体３のペン先３１を軸筒２の前端孔２ａより出没自在にさせる出没式筆記具である。
【００１７】
前記筆記体３は、繊維を収束させて形成したペン先３１が前端開口部に圧入固着されたインキ収容管３２と、インキ収容管３２の後方を被覆する尾冠３３と、前記インキ収容管３２内の繊維束に充填された蛍光のインキ３４とを備える。
ペン先３１は筆記端３１ａをインキ収容管３２から露出させ、軸部３１ｂをインキ収容管３２の細径部３２ａに挿着してある。
【００１８】
前記軸筒２の内部前方にはキャップ体５が配設されている。キャップ体５は、前記筆記体のペン先３１を挿通させた筒部５ａと、筒部５ａの前端に設けた蓋部５ｂと、筒部５ａと蓋部５ｂとを連結するヒンジ部５ｃとを有している。図３に示すように、筆記体３が没入した状態では、筆記体３のインキ収容管３２の前端部が、キャップ体５の筒部５ａに固着したＯリング５ｄに密着される。
【００１９】
前記押動体４は、軸筒２の上面に設けた長方形状の窓部２１ａに挿着されており、両側壁４ｂの前後に設けた突部４ｃにより、押動体４が窓部２１ａから外れないようにしてある。また、押動体４の前後には当接部４ｄ，４ｅを突設してあり、キャップ体５の側面に設けた前方斜面５１と、筆記体３の側面に設けた後方斜面３５とにそれぞれ当接するようにしてある。
キャップ体５の前方斜面５１と筆記体３の後方斜面３５との間にはコイルスプリング６が配設されており、常時、キャップ体５と筆記体３とが離間する方向へ弾発力が働くようにしてある。コイルスプリング６によるキャップ体５の前進は、前方斜面５１に押動体４の当接部４ｄが当接することで規制され、コイルスプリング６による筆記体３の後退は、後方斜面３５に押動体４の当接部４ｅが当接することで規制される。
【００２０】
前記前方斜面５１は、軸筒２の内面における窓部２１ａ側に後端を有し該窓部２１ａの反対側に前端を有する斜面であり、軸心に対し、前方部５１ａの傾斜角を後方部５１ｂの傾斜角より大きく形成してある。前記後方斜面３５は、軸筒２の内面における窓部２１ａ側に前端を有し該窓部２１ａの反対側に後端を有するよう形成してある。
【００２１】
本実施形態の出没式筆記具１は、筆記体３が軸筒２内に没入した状態で、筆記体３の後端３ａが軸筒２の後端内面２ｂに接することで、コイルスプリング６による弾発力はキャップ体５を前進させる弾発力として働き、その結果、コイルスプリング６の弾発力によりキャップ体５の蓋部５ｂの前面が軸筒２の前端に設けた内鍔２ｃに当接し、蓋部５ｂの後面がキャップ体５の筒部５ａの前端面に密着し、キャップ体５内の気密性が向上される。
【００２２】
次に、図５を用いて本実施形態の出没式筆記具を作動させる状態の説明を行う。
図５は、出没式筆記具の作動状態を一部断面化にして側面から見た図であり時系列的に示した図である。
図５Ａは、図１から図４に示された出没式筆記具１の状態であり軸筒２に筆記体３が没入した状態である。
図５Ｂは、図５Ａの状態から押動体４の押動部４ａを軸筒２の軸径方向（図の下方）へ少し押動した状態の図である。この状態で押動体４の当接部４ｄ，４ｅは軸筒２の中心線側へ移動し、当接部４ｄ，４ｅで摺動された前方斜面５１と後方斜面３５とが少し近づく。
図５Ｃは、図５Ｂの状態から押動体４の押動部４ａを軸筒２の軸径方向へさらに押動した状態の図である。この状態で押動体４の当接部４ｄ，４ｅは軸筒２の中心線近傍まで移動し、当接部４ｄ，４ｅで摺動された前方斜面５１と後方斜面３５とがさらに近づき、前進した筆記体３の筆記端３１ａがキャップ体５の蓋部５ｂを押動して開放する。
図５Ｄは、図５Ｃの状態から押動体４の押動部４ａを軸筒２の軸径方向へまたさらに押動した状態の図である。この状態で押動体４の当接部４ｄ，４ｅは軸筒２の中心線を越えて下方に移動し、当接部４ｄ，４ｅで摺動された前方斜面５１と後方斜面３５とがまたさらに近づき、前進した筆記体３の筆記端３１ａがキャップ体５の蓋部５ｂを押動して完全に開放し、軸筒２の前端孔２ａから該筆記端３１ａが少し突出する。
図５Ｅは、図５Ｄの状態から押動体４の押動部４ａを軸筒２の軸径方向へ完全に押動した状態の図である。この状態で押動体４の押動部４ａは軸筒２の上面と一致し、当接部４ｄ，４ｅは軸筒２の内面における窓部２１ａの反対側まで寄り、当接部４ｄ，４ｅで摺動された前方斜面５１と後方斜面３５とがコイルスプリング６が完全圧縮されるまで近づき、前進した筆記体３の筆記端３１ａが軸筒２の前端孔２ａから完全に突出して筆記可能状態となる。
【００２３】
前述の通り本実施形態では、軸心に対し、前方部５１ａの傾斜角を後方部５１ｂの傾斜角より大きく形成することで、図５Ａから図５Ｃの段階では、押動体４の軸径方向への移動量に対しキャップ体５が大きく後退して蓋部５ｂが開放できる空間が大きく広がり、図５Ｄから図５Ｅの段階では、押動体４の軸径方向への移動量に対しキャップ体５が小さく後退してキャップ体５が下がり過ぎることなく筆記体３を前進させる構造にしてある。
図５Ｅで示した筆記端３１ａを突出させた状態での筆記時においては、筆圧の反力が押動体４を軸径方向の反対側（図面上方）へ戻そうとする力として働くが、押動体を押動する力の向きと筆記時に軸筒を把持する力の向きとが同じであることから、結果、筆記端３１ａを突出状態で維持させるロック機構がなくとも、筆記端３１ａを突出させた状態を維持して筆記を行うことができる。
【００２４】
図５Ｅの状態で押動体４を押動する力を開放することにより、図５Ｅから図５Ａの状態へ逆に作動しながら筆記端３１ａが軸筒２内に没入し、再度キャップ体５で気密状態が保持され、インキ３４の乾燥が防止され、筆記端が保護される。
【００２５】
本実施形態では、キャップ体５及び筆記体３の軸径方向への移動を規制するために、キャップ体５の下方に脚部５ｅを設け、筆記体３の下方に脚部３ｂを設け、軸筒２の窓部２１ａと反対の内面に摺動させる。
また、本実施形態の筆記体３１の筆記端３１ａは先窄みの板状であり、筆記端３１ａの両側（図面上下）に形成された平面部３１１ａ，３１２ａ（図５参照）が押動体４の移動方向に対し直交する方向に設けられていることから、押動体４を親指で押動した際に、その親指と同じ位置に筆記端３１ａの平面部３１１ａ，３１２ａが位置することから、自然と線を引く際の筆記端３１ａの向き（筆跡が巾広くなる向き）で書き始めることが可能となり、蛍光マーカーとして好適である。
【００２６】
図６は変形例による出没式筆記具の作動状態を一部断面化にして側面から見た図である。図６Ａは筆記端を没入させた状態を示し、図６Ｂは筆記端を突出させた状態を示す。
出没式筆記具１０は軸筒２の窓部２１ａに押動体４０を装着してある。押動体４０の両側壁４０ｂには、窓部２１ａ側に後端を有し該窓部２１ａの反対側に前端を有する前方斜面４１を前方に有し、窓部２１ａ側に前端を有し該窓部２１ａの反対側に後端を有する後方斜面４２を後方に有している。前記前方斜面４１は、軸心に対し、後方部４１ｂの傾斜角を前方部４１ａの傾斜角より大きく形成してある。
キャップ体５０の側面には前記前方斜面４１に当接する当接部５０ｔを突設し、筆記体３０の側面には前記後方斜面４２に当接する当接部３０ｔを突設してある。キャップ体５０の下方に脚部５０ｅを設け、筆記体３０の下方に脚部３０ｂを設け、軸筒２の窓部２１ａと反対の内面に摺動させる。
側壁４０ｂの前後に設けた突部４０ｃにより、押動体４０が窓部２１ａから外れないようにしてある。
その他の構成は前述の出没式筆記具１と略同様である。このため、図６の出没式筆記具１０において前述の出没式筆記具１と共通する構成部分には同様の符号を付し、その詳細な説明を省略する。
【００２７】
以上のような出没式筆記具１０は、前述の出没式筆記具１と同様に、図６Ａに示す状態（図５における図５Ａの状態）では、筆記端（不図示）が軸筒２内に没入している。
押動体４０の押動部４０ａを軸径方向（図の下方）へ押動することで、押動体４０の前方斜面４１によりキャップ５０を後退させ、押動体４０の後方斜面４２により筆記体３０を前進させ、図６Ｂに示すように前進した筆記体３０の筆記端３１ａが軸筒２の前端孔２ａから完全に突出して筆記可能状態となる。
前述の通り変形例においては、前方斜面４１が、軸心に対し、後方部４１ｂの傾斜角を前方部４１ａの傾斜角より大きく形成してあるので、押動体４０の押動部４０ａを押動した前半の段階（図５における図５Ａから図５Ｃ）では、当接部５０ｔが前方部４１ａに摺動されて押動体４の軸径方向への移動量に対しキャップ体５０が大きく後退して蓋部５ｂが開放できる空間が大きく広がり、押動体４０の押動部４０ａを押動した後半の段階（図５における図５Ｄから図５Ｅの段階）では、当接部５０ｔが後方部４１ｂに摺動されて押動体４０の軸径方向への移動量に対しキャップ体５０が小さく後退してキャップ体５０が下がり過ぎることなく筆記体３０が前進する。
また、図６Ｂの状態で押動体４０を押動する力を開放することにより、図６Ｂから図６Ａの状態となり、筆記端３１ａが軸筒２内に没入し、再度キャップ体５０で気密状態が保持され、インキの乾燥が防止され、筆記端が保護される。
【符号の説明】
【００２８】
１，１０…出没式筆記具、
２…軸筒、２ａ…前端孔、２１ａ…窓部、２ｂ…後端内面、２ｃ…内鍔、
３…筆記体、３ａ…後端、３ｂ，３０ｂ…脚部、３１…ペン先、３１ａ…筆記端、３１１ａ，３１２ａ…平面部、３１ｂ…軸部、３０ｔ…当接部、
３２…インキ収容管、３２ａ…細径部、
３３…尾冠、３４…インキ、３５…後方斜面、
４，４０…押動体、４ａ，４０ａ…押動部、４１…前方斜面、４１ａ…前方部、４１ｂ…後方部、４２…後方斜面、４ｂ，４０ｂ…両側壁、４ｃ，４０ｃ…突部、４ｄ，４ｅ…当接部、
５，５０…キャップ体、５ａ…筒部、５ｂ…蓋部、５ｃ…ヒンジ部、５ｄ …Ｏリング、５ｅ，５０ｅ…脚部、５１…前方斜面、５１ａ…前方部、５１ｂ…後方部、５０ｔ…当接部、
６…コイルスプリング。
【図１】
2019116063.tif 000003
【図２】
2019116063.tif 000004
【図３】
2019116063.tif 000005
【図４】
2019116063.tif 000006
【図５】
2019116063.tif 000007
【図６】
2019116063.tif 000008